(57)【要約】【課題】選曲装置に利用者の希望曲に関連した楽曲集合を提示する。【解決手段】利用者に情報を表示するとともに、利用者の操作入力を受け付けるユーザインタフェースを備え、楽曲ＩＤと曲名とアーティスト名の対応付け情報を集約した楽曲索引データベースと、手がかり楽曲ＩＤと関連楽曲ＩＤ集合との対応付け情報を集約した関連楽曲データベースにアクセスし、利用者入力に従って楽曲索引データベースから抽出した１つの楽曲ＩＤを含んだ演奏予約電文をカラオケ装置に出力した際、演奏予約した楽曲ＩＤを手がかり楽曲ＩＤとする関連楽曲ＩＤ集合を関連楽曲データベースから抽出し、楽曲索引データベースに基づいてその楽曲ＩＤ集合の曲名とアーティスト名を一覧表示するとともに、表示中から１つの楽曲を選択する操作入力を受け付け可能とし、選択された楽曲ＩＤを含んだ演奏予約電文をカラオケ装置に出力するカラオケ選曲装置を提供する。【選択図】図５
2008139439.tif 000002
【特許請求の範囲】
【請求項１】
ユーザインタフェースと、制御手段を備え、楽曲索引データベースおよび関連楽曲データベースにアクセスするカラオケ選曲装置であって、
楽曲索引データベースは、楽曲ＩＤと曲名とアーティスト名の対応付け情報を集約し、
関連楽曲データベースは、手がかり楽曲ＩＤと関連楽曲ＩＤ集合との対応付け情報を集約し、
ユーザインタフェースは、制御手段の制御により利用者に情報を表示するとともに、利用者の操作入力を受け付け、
制御手段は、利用者入力に従って楽曲索引データベースから抽出した１つの楽曲ＩＤを含んだ演奏予約電文をカラオケ装置に出力した際、第１〜第３処理を行い、
第１処理は、演奏予約した楽曲ＩＤを手がかり楽曲ＩＤとする関連楽曲ＩＤ集合を関連楽曲データベースから抽出し、
第２処理は、楽曲索引データベースに基づいて第１処理で抽出した楽曲ＩＤ集合の曲名とアーティスト名を一覧表示するとともに、表示中から１つの楽曲を選択する操作入力を受け付け可能とし、
第３処理は、第２処理で選択された楽曲ＩＤを含んだ演奏予約電文をカラオケ装置に出力する
カラオケ選曲装置。
【請求項２】
ユーザインタフェースと、制御手段を備え、楽曲索引データベースおよび関連楽曲データベースにアクセスするカラオケ選曲装置であって、
楽曲索引データベースは、楽曲ＩＤと曲名とアーティスト名の対応付け情報を集約し、
関連楽曲データベースは、手がかり楽曲ＩＤと関連楽曲ＩＤ集合との対応付け情報を集約し、
ユーザインタフェースは、制御手段の制御により利用者に情報を表示するとともに、利用者の操作入力を受け付け、
制御手段は、利用者入力に従って楽曲索引データベースから抽出した楽曲ＩＤのうち１つが利用者により選択指定された際、第１〜第３処理を行い、
第１処理は、選択指定された楽曲ＩＤを手がかり楽曲ＩＤとする関連楽曲ＩＤ集合を関連楽曲データベースから抽出し、
第２処理は、楽曲索引データベースに基づいて第１処理で抽出した楽曲ＩＤ集合の曲名とアーティスト名を一覧表示するとともに、表示中から１つの楽曲を選択する操作入力を受け付け可能とし、
第３処理は、第２処理で選択された楽曲ＩＤを含んだ演奏予約電文をカラオケ装置に出力する
カラオケ選曲装置。
【発明の詳細な説明】
【技術分野】
【０００１】
この発明は、カラオケ選曲装置の娯楽性を向上させるための技術改良に関し、特に、カラオケ利用客が希望曲を演奏予約すると、その希望曲に関連した複数楽曲を次の選曲候補として提示して選曲を促す機能を備えたカラオケ選曲装置に関する。
【背景技術】
【０００２】
周知のように、カラオケ店では分厚いカラオケ目次本のかわりに、タブレットタイプのコンピュータで構成された電子目次本（カラオケ選曲装置）が普及している。ＤＡＭステーション、デンモク、キョクＮＡＶＩ、ナビカラなどの商品名で知られている。このようなカラオケ選曲装置は、タブレットコンピュータのもつ高い演算能力や記憶能力・通信能力を利用することにより、個人の好みの曲をあらかじめ記憶させておいたり、多様な切り口でカラオケ楽曲を検索させて選曲したりすることが可能である。
【０００３】
たとえば、特許第３５７３４２０号公報には、アーティストのアルバム名やジャケット写真をつかって目的の曲を検索する機能について開示されている。  
また、特許第３５９５２９２号公報には、利用者別の記憶領域に好みの楽曲を登録しておいたり、読み出して選曲に利用したりできる機能が開示されている。  
また、特許第３６４５２１１号公報には、利用者の年齢や年代に基づいて、利用者の記憶に残る年代の流行曲を検索できる、いわゆる「あの頃検索」機能が開示されている。
【特許文献１】特許第３５７３４２０号公報
【特許文献２】特許第３５９５２９２号公報
【特許文献３】特許第３６４５２１１号公報
【発明の開示】
【発明が解決しようとする課題】
【０００４】
グループで楽しむカラオケの場で、何人かの利用者が何曲か歌い終えたとき、特定の年代の流行歌や特定のアーティストの曲など、利用者各自の選曲になんらかの傾向が自然に発生する場合がある。何らかの選曲傾向がある場合、その傾向を維持することでその場はさらに盛り上がる。利用者は、カラオケの場を大いに楽しみたいと思うのなら、可能な限り予約操作に掛ける時間を短くし、人の歌唱をじっくり聴いたり、手拍子を送ったりして、他人の歌唱にも積極的に参加することが大事である。しかし、利用者がその場の雰囲気を楽しむとともに、その雰囲気を壊したくないと思って予約する楽曲を探そうとすると、なかなか曲が決まらないことも多い。これでは、せっかく盛り上がった場の雰囲気もさめてしまう。
【０００５】
そこで、選曲装置に、ある選曲をした利用者に対し、直感的な操作感覚で、その場の趣向に沿った関連楽曲を提示し、次の予約候補として提案する機能を実装することを思いついた。それによって利用者は、その場の雰囲気を壊すことなく次々と好みの曲を見つけて選曲できようになり、選曲に迷うこともない。選曲のための操作が素早く簡単であればさらに場も盛り上がる。選曲操作自体も楽しくなる。場が盛り上がるのであれば、何となく知っている曲であっても、初めて歌ってレパートリーを増やそうとする意欲もます。このように、選曲傾向に即した関連楽曲を素早く予約できる選曲装置が実現できれば、カラオケの場を盛り上げるための好循環を生む。本発明は、このようなことを考えながら創作したものである。
【課題を解決するための手段】
【０００６】
本発明は、次の事項（１）〜（８）によって特定されるものである。  
（１）ユーザインタフェースと、制御手段を備え、楽曲索引データベースおよび関連楽曲データベースにアクセスするカラオケ選曲装置であること
（２）楽曲索引データベースは、楽曲ＩＤと曲名とアーティスト名の対応付け情報を集約すること
（３）関連楽曲データベースは、手がかり楽曲ＩＤと関連楽曲ＩＤ集合との対応付け情報を集約すること
（４）ユーザインタフェースは、制御手段の制御により利用者に情報を表示するとともに、利用者の操作入力を受け付けること
（５）制御手段は、利用者入力に従って楽曲索引データベースから抽出した１つの楽曲ＩＤを含んだ演奏予約電文をカラオケ装置に出力した際、第１〜第３処理を行うこと
（６）第１処理は、演奏予約した楽曲ＩＤを手がかり楽曲ＩＤとする関連楽曲ＩＤ集合を関連楽曲データベースから抽出すること
（７）第２処理は、楽曲索引データベースに基づいて第１処理で抽出した楽曲ＩＤ集合の曲名とアーティスト名を一覧表示するとともに、表示中から１つの楽曲を選択する操作入力を受け付け可能とすること
（８）第３処理は、第２処理で選択された楽曲ＩＤを含んだ演奏予約電文をカラオケ装置に出力すること
【０００７】
また、第２の発明は、次の事項（11）〜（18）によって特定されるものである。  
（11）ユーザインタフェースと、制御手段を備え、楽曲索引データベースおよび関連楽曲データベースにアクセスするカラオケ選曲装置であること
（12）楽曲索引データベースは、楽曲ＩＤと曲名とアーティスト名の対応付け情報を集約すること
（13）関連楽曲データベースは、手がかり楽曲ＩＤと関連楽曲ＩＤ集合との対応付け情報を集約すること
（14）ユーザインタフェースは、制御手段の制御により利用者に情報を表示するとともに、利用者の操作入力を受け付けること
（15）制御手段は、利用者入力に従って楽曲索引データベースから抽出した楽曲ＩＤのうち１つが利用者により選択指定された際、第１〜第３処理を行うこと
（16）第１処理は、選択指定された楽曲ＩＤを手がかり楽曲ＩＤとする関連楽曲ＩＤ集合を関連楽曲データベースから抽出すること
（17）第２処理は、楽曲索引データベースに基づいて第１処理で抽出した楽曲ＩＤ集合の曲名とアーティスト名を一覧表示するとともに、表示中から１つの楽曲を選択する操作入力を受け付け可能とすること
（18）第３処理は、第２処理で選択された楽曲ＩＤを含んだ演奏予約電文をカラオケ装置に出力すること
【発明の効果】
【０００８】
この発明に係るカラオケ選曲装置によれば、ある曲を選曲すると、たとえばその曲を選曲した人がよく選曲する別の歌など、関連ある楽曲が提示される。次の選曲候補として、好みの曲が提示される可能性が高いため、次々とスムーズに選曲できる。そのため、選曲操作に気をとられず、カラオケを楽しむことに専念しやすい。さらに、そういえば忘れていたこんな曲もあった、こんな歌も歌えるのだ、と選曲の幅が広がったり、この曲は知らなかったけれど自分好みだった、自分に歌いやすい曲だった、というような新鮮な発見につながったりする可能性が高い。いつも決まった曲ばかりでなく、いろいろな新しい曲を歌ってみる機会につながる。場の雰囲気に連続性をもたせた選曲も可能となる。このように、カラオケ選曲の幅が広がったり、カラオケ自体を存分に楽しむ余裕が生まれたりして、カラオケの娯楽性が向上する。
【発明を実施するための最良の形態】
【０００９】
＝＝＝ネットワーク構成＝＝＝
図１に、本発明の実施例における通信カラオケシステムのネットワーク構成を示した。インターネットを利用したＶＰＮ（Virtual Private Network）６０には、カラオケ事業者の各地のカラオケ店１００に敷設されたＬＡＮ１１０やカラオケサーバー７０が接続されて広域イントラネットが構築されている。各地の複数の客室を備えたカラオケ店１００の各客室には、周知の通信カラオケシステムの演奏端末１０と、当該演奏端末を操作するためのカラオケ選曲装置２０が設置されている。演奏端末１０はＬＡＮ１１０を介して同室内のカラオケカラオケ選曲装置２０と通信したり、ルータ５０を経由して接続したＶＰＮ６０を介してカラオケサーバー７０と通信してカラオケ楽曲の伴奏音楽の起源となるカラオケデータの配信を受けたり、稼働ログを送信したりする。
【００１０】
カラオケサーバー７０は、通信カラオケシステムにおけるホスト装置なるコンピュータであり、カラオケ楽曲の起源となるカラオケデータを蓄積したカラオケデータベースのほか、演奏端末１０から集信した稼働ログを集約した演奏実績データベース、会員として登録された利用者の情報を管理する会員情報データベースなどの各種データベースを備えている。そして、演奏端末１０やカラオケ選曲装置２０は、ＶＰＮ６０を介してカラオケサーバー７０と通信し、カラオケデータの配信を受けたり、稼働ログを送信したりする。
【００１１】
なお、カラオケサーバー７０の備える各種データベースのうち、カラオケデータベースは、カラオケ楽曲の伴奏音楽や歌詞画像、歌詞画像の背景映像の表示シーケンスなどを含むカラオケデータを楽曲ＩＤをキーにして格納したものである。演奏実績データベースは、楽曲ＩＤをキーに、演奏済みの各曲の演奏回数を記録したものであり、各演奏端末１０から適宜に集信した稼働ログに基づいて随時更新されている。
【００１２】
会員情報データベースは、会員登録されている利用者が所持するＩＣカードに固有のＩＣカード番号とした個人ＩＤをキーとして、個人情報や各種履歴情報を対応付けして格納・管理している。
【００１３】
また本実施例では、会員情報データベースに基づく好き歌データベースがカラオケサーバー７０により作成されて管理されている。好き歌データベースは、会員の個人ＩＤをキー情報にして、各会員の好みの曲の楽曲ＩＤ群（以下、Ｍｙリスト）を格納したものであり、各会員は、カラオケ選曲装置２０を操作して好みの曲やよく歌う曲をＭｙリストに登録することができる。
【００１４】
＝＝＝カラオケ選曲装置２０＝＝＝
カラオケ選曲装置２０は、タッチパネルを主要なユーザインタフェースとしたタブレットコンピュータである。図２にカラオケ選曲装置２０の機能ブロック構成を示した。ＣＰＵ・ＲＡＭ・ＲＯＭを含む中央制御部２１を主制御部として、ハードディスク装置２２・タッチパネル２３・通信インタフェース２４を備えている。
【００１５】
ハードディスク装置２２には、当該タブレットコンピュータをカラオケ選曲装置として機能させるためのプログラムに加え、演奏端末１０にて演奏可能なカラオケ楽曲について、曲名・アーティスト名・楽曲ジャンルなどの目次情報を、楽曲ＩＤに対応付けして集約した楽曲索引データベースを格納している。
【００１６】
中央制御部２１は、ハードディスク装置２２に格納されているプログラムにしたがって動作し、タッチパネル２３による対話形式のユーザインタフェース環境により、利用者の希望する楽曲の目次情報を楽曲索引データベースから検索して提示する。図３に、カラオケ選曲装置２０のトップメニュー画面を例示した。このトップ画面を起点として、曲名検索・歌手名検索・新譜検索・デュエット曲検索・あのころ検索など、さまざまな検索モードにより選曲を行える。
【００１７】
またこのカラオケ選曲装置２０は、会員が所持するＩＣカードがカードインタフェースに付帯するアンテナにかざされると、ＩＣカードのカードＩＤを読み取って、当該ＩＤをカラオケサーバー７０に送付してカラオケサーバー７０にログインさせる。それによって、カラオケ選曲装置２０を操作する会員が自身のＭｙリストを取り寄せたり、更新したりすることができる。
【００１８】
＝＝＝関連楽曲提示処理＝＝＝
カラオケ選曲装置２０は、各種の楽曲検索機能により選曲された楽曲が演奏予約されると、その次の予約曲にふさわしいであろう関連楽曲（以下、次うた）を提示する機能を備えている。また、その機能を実現するために、カラオケ選曲装置２０のハードディスク装置２２は、手がかりとなる楽曲ＩＤに、その楽曲の次うたの楽曲ＩＤ集合を対応づけて集約した関連楽曲データベースを備えている。
【００１９】
図４〜図６にカラオケ選曲装置２０における次うたを提示する機能に関わる画面遷移を示した。カラオケ選曲装置２０が楽曲ＩＤを含む演奏予約電文生成し、演奏端末１０に転送すると、予約完了確認画面などに「次うた」ボタン３１が表示されるように構成されている（図４）。この「次うた」ボタン３１を利用者が指示入力すると、カラオケ選曲装置２０の中央制御部２１は、その演奏予約済みの楽曲ＩＤを手がかり楽曲ＩＤとして関連楽曲データベースを参照し、手がかり楽曲ＩＤに対応付けされた関連楽曲ＩＤ群を抽出し、その関連楽曲ＩＤ群について楽曲索引データベースを参照し、それらの次うたの曲名とアーティスト名をタッチパネル２３に一覧表示させる（図５）。
【００２０】
この次うたの一覧の中から、利用者がいずれかの楽曲を選択指定すると、その曲についての詳細情報が表示される（図６）。この詳細画面の転送ボタン３３を指示すると、その楽曲の演奏予約することができる。もちろん、楽曲の詳細画面にも「次うた」ボタン３１が表示し、その曲についての関連楽曲を表示できるように構成してもよい。
【００２１】
以上の関連楽曲提示機能により、カラオケ選曲装置２０を使って選曲予約した曲目と曲風が類似していたりその選曲者の趣向に沿っていたりする関連楽曲が次うたとして提示されるので、スムーズに素早く選曲できる。選曲操作が簡単なので、カラオケの場を楽しむことに集中できる。また、忘れていた好みの曲や意外な好みの曲の発見につながることも多く、選曲の幅が広がる。さらに、たとえば先の予約者とは違う人が次の曲を予約する場合にも、先の曲の次うたから選曲することにより、場の雰囲気に連続性を持たせることもできる。
【００２２】
＝＝＝関連楽曲データベース＝＝＝
本実施例において、関連楽曲データベースは、カラオケサーバー７０にも用意され、カラオケサーバー７０側で随時更新されている。そして、カラオケサーバー７０とカラオケ選曲装置２０が適時に通信し、カラオケ選曲装置２０側の関連楽曲データベースをカラオケサーバー７０側のデータベースの内容と同期させている。関連楽曲データベースは、カラオケ事業者が人為的にカラオケ楽曲ごとに関連する楽曲を対応付けして作成されてもよいが、カラオケ演奏端末から随時集信する稼働ログや多数の会員についての演奏履歴やＭｙリストに基づいて作成されてもよい。
【００２３】
以下に、稼働ログや会員の演奏履歴やＭｙリストに基づいて関連楽曲データベースを作成するための情報処理について説明する。図７（１）〜（３）に関連楽曲データベースのデータ作成手順を例示した。カラオケサーバー７０は、まず、営業時間外の定期的な保守時間や演奏実績データベース更新の後など、適宜な機会に、演奏実績データベースに含まれている楽曲ＩＤの中から、たとえば演奏回数の多い順に一つの楽曲ＩＤを手がかりとして取り出す（たとえば１５４３−２５、以下ａとする）。次に、取り出したａに基づいて好き歌データベースを参照し、多数のＭｙリストのうち、ａが含まれるものを取り出して楽曲ＩＤごとに集計する（１）。つまり、ａをＭｙリストに登録している複数会員のＭｙリストを取り出し、それらに登録されている楽曲ＩＤをリストアップする。そして、リストアップした楽曲ＩＤに基づいて演奏実績データベースを参照し、演奏回数の多い順に所定数の楽曲ＩＤを記憶し、ａと対応付けてａの関連楽曲ＩＤとする（（２）〜（３））。このようにして、ａを好んでＭｙリストに登録している会員が、ａの他に好んで登録している多数の楽曲のうち演奏頻度の高い順に、たとえば上位１０曲をａの関連楽曲として抽出できる。これらのａの関連楽曲は、ａを好む多数会員の趣向にそったものであるので、いずれもａと曲風が類似しているなど、ａを選曲した人の趣向に合っている可能性が高い。
【００２４】
カラオケサーバー７０は、演奏実績データベースから次の手がかりとして、たとえばａの次に演奏回数の多い楽曲ＩＤ（ｂとする）を取り出すとともに、取り出したｂに基づいて好き歌データベースと演奏実績データベースを参照して、ａの場合と同様にしてｂの関連楽曲ＩＤを抽出する。このようにして演奏実績データベースに含まれる楽曲ＩＤを手がかり楽曲ＩＤとして一つずつ取り出し、各手がかり楽曲ＩＤについて関連楽曲ＩＤを抽出する処理を繰り返す。そして、手がかり楽曲ＩＤとその関連楽曲ＩＤとを対応付けして、関連楽曲データベースを構築している。手がかり楽曲ＩＤは、演奏実績データベースに含まれる全ての楽曲ＩＤとしてもよいし、演奏実績データベースに含まれる楽曲ＩＤのうちの一部、たとえば演奏回数の多い順に所定数の楽曲ＩＤとしてもよい。
【図面の簡単な説明】
【００２５】
【図１】本発明の実施例における通信カラオケシステムのネットワーク構成図である。
【図２】本実施例のカラオケ選曲装置のブロック構成図である。
【図３】同カラオケ選曲装置のトップメニュー画面を例示した図である。
【図４】本実施例のカラオケ選曲装置における演奏予約完了画面を例示した図である。
【図５】本実施例の次うたリストの表示画面例である。
【図６】本実施例の選曲画面を例示した図である。
【図７】本実施例に係る関連楽曲データベースに格納されるデータの作成手順の説明図である。
【符号の説明】
【００２６】
２０  カラオケ選曲装置
７０  カラオケサーバー
【図１】
2008139439.tif 000003
【図２】
2008139439.tif 000004
【図３】
2008139439.tif 000005
【図４】
2008139439.tif 000006
【図５】
2008139439.tif 000007
【図６】
2008139439.tif 000008
【図７】
2008139439.tif 000009